(57)【要約】【課題】据付作業の効率化を行う。【解決手段】内部に圧縮機と室外送風機と熱交換器等の部品を配置し、底板２と天板３と前記室外送風機の吹出グリルを備えた前板５と、空気吸込口を備えた左側板７と、前記圧縮機を覆う右側板８等で構成し、利用側ユニットと連絡配管で接続する熱源ユニット１で、この熱源ユニットは前記天板の上面と底板の底面にそれぞれ梱包材１５・２１を設け、この梱包材を結束バンド２５を巻いて固定するものに於いて、前記底板底面の左右端近傍に前記左右側板と略平行に手掛け用の凹部１４を設け、この凹部に対向する前記梱包材に作業者が左右側方から手を挿入する空間１９・２０を設けたものである。【選択図】図４
2011158163.tif 000002
【特許請求の範囲】
【請求項１】
内部に圧縮機と室外送風機と熱交換器等の部品を配置し、底板と天板と前記室外送風機の吹出グリルを備えた前板と、空気吸込口を備えた左側板と、前記圧縮機を覆う右側板等で構成し、利用側ユニットと連絡配管で接続する熱源ユニットで、この熱源ユニットは前記天板の上面と底板の底面にそれぞれ梱包材を設け、この梱包材を結束バンドを巻いて固定するものに於いて、前記底板底面の左右端近傍に前記左右側板と略平行に手掛け用の凹部を設け、この凹部に対向する前記梱包材に作業者が左右側方から手を挿入する空間を設けたことを特徴とする熱源ユニット及び梱包材。
【発明の詳細な説明】
【技術分野】
【０００１】
この発明は、空気調和機の室外機やヒーポン温水暖房機等の熱源ユニットと梱包材に関するものである。
【背景技術】
【０００２】
従来、家庭用で比較的小さな空気調和機の室外機やヒーポン温水暖房機等の熱源ユニットは通常左右の側面上部に一対の取手が設けられ器具の移動等に活用されていた。また、流通における、運送や倉庫内での保管の際に、キズや打痕等で製品が損傷することを防止するために工場出荷時には発泡スチロールや段ボールから成る梱包材によって、製品の表面全体または天板の上面と底板の底面を挟んで保護され、前記梱包材は製品の設置作業時に取り外されるものであり、器具を所定の位置に設置し、室内機や床暖房パネル等の利用側機器に接続されることで使用が可能になるものであった。
【０００３】
また、パッケージ型の空気調和機等、大型の空気調和機の設置では人力による運搬が難しくフォークリフトを使用して運搬が行われ、このような空気調和機では底板底面に直接フォークリフトの爪を当てて運搬するために製品の底面側には梱包材を設けないものも有った。（例えば、特許文献１参照）
【先行技術文献】
【特許文献】
【０００４】
【特許文献１】特開平８−１９３７２８号公報
【発明の概要】
【発明が解決しようとする課題】
【０００５】
この従来例の熱源ユニットの据付作業では、器具の重量が比較的軽いものは人力のみで行われるが、高い場所への設置や、設置の状態によっては作業者が器具の底板から持ち上げる必要があり、持ち上げにくいものであった。また、底板の底面側に梱包材が取り付けられている場合には、底面の梱包材から器具をいったん降ろして作業を開始するものであり、作業の効率向上の必要が有った。
また、大型で重量の大きなものの設置では、フォークリフト等の大型の機械が必要なだけでなく、製品の底面側に梱包材を設けない場合は、製品にキズや打痕が発生する危険が有った。
【課題を解決するための手段】
【０００６】
この発明はこの点に着目し上記欠点を解決する為、特にその構成を、内部に圧縮機と室外送風機と熱交換器等の部品を配置し、底板と天板と前記室外送風機の吹出グリルを備えた前板と、空気吸込口を備えた左側板と、前記圧縮機を覆う右側板等で構成し、利用側ユニットと連絡配管で接続する熱源ユニットで、この熱源ユニットは前記天板の上面と底板の底面にそれぞれ梱包材を設け、この梱包材を結束バンドを巻いて固定するものに於いて、前記底板底面の左右端近傍に前記左右側板と略平行に手掛け用の凹部を設け、この凹部に対向する前記梱包材に作業者が左右側方から手を挿入する空間を設けたものである。
【発明の効果】
【０００７】
この発明によれば、底板底面の左右端近傍に前記左右側板と略平行に手掛け用の凹部を設けたので、底板底面への手の位置が安定し、据付作業をより安全に行う事ができ据付作業を効率化ができる。また、凹部に対向する前記梱包材に作業者が左右側方から手を挿入する空間を設けたことで、底面の梱包材を外さずに直接底板の凹部に手を掛けて器具を持ち上げることができ、より据付作業を効率よく行うことができる。
【図面の簡単な説明】
【０００８】
【図１】この発明一実施例の斜視図。
【図２】同展開斜視図。
【図３】同本体底面側の斜視図。
【図４】同底板と梱包材の拡大断面図。
【発明を実施するための形態】
【０００９】
次に、この発明に係る熱源ユニットと梱包材を図面に示された一実施例で説明する。
１はヒートポンプ温水暖房装置の熱源ユニットで、内部に圧縮機と室外送風機と熱交換器や温水タンク等の機能部品（図示せず）を備えている。
前記熱源ユニット１は底面の底板２と、上面の天板３と、前記室外送風機の吹出グリル４を備えた前板５、格子状の空気吸込口６を備え左側面と左側背面を覆う左側板７と、右側面から右側背面を覆う右側板８で略横長直方体状に筐体を形成している。
前記左側板７の左側面上部には樹脂製の左取手９が前記空気吸込口６の穴を利用して取り付けられ、右側板８の右側面には配管接続や連絡電線の接続を行うためのサービス口１０を覆う縦長の蓋１１が設けられ、この蓋１１の上部に一体に右取手１２が設けられている。
【００１０】
前記底板２は略長方形の鉄板に絞り加工を施して皿状に形成され、底面には一対の脚部１３がスポット溶接等で取り付けられている。また、左右の両端より稍内側で左右側面と平行に手掛け用の凹部１４が一対形成され、運搬や据付作業時の手指の位置を安定させると共に、手指の滑りを防止して、熱源ユニット１の取り扱いを容易にすることで作業効率も向上するものである。
【００１１】
１５は前記熱源ユニット１の底面を保護する下側梱包材で、段ボール製の下枠板１６の左右上面に熱源ユニット１底面の形状に合わせた発泡スチロール製の下緩衝材１７・１８が左右一対で取り付けられている。そして、前記手掛け用の凹部１４に対向する部分には作業者の手指を挿入する空間１９・２０が設けられ、そのまま熱源ユニット１持ち上げることができるものである。
【００１２】
２１は前記熱源ユニット１の上面を保護する上側梱包材で、段ボール製の上枠板２２の左右底面に熱源ユニット１上面の形状に合わせた発泡スチロール製の上緩衝材２３・２４が左右一対で取り付けられている。
【００１３】
２５は樹脂製の結束バンドで、熱源ユニット１を梱包材１５・２１で上下に挟んで固定するものであり、前後左右に二本ずつ設けられている。
【００１４】
据付作業時の開梱手順について説明すれば、梱包状態の熱源ユニット１を据付現場の近くまで運搬し、前記４本の結束バンド２５をハサミやカーターで切り離す。次に上側梱包材２１を取外せば、熱源ユニット１が現れる。そこで、熱源ユニット１の底板２と下緩衝材１７・１８の間の空間１９・２０に作業者が手指を挿入し底板２の底面に備えた手掛け用の凹部１４に手指を添えて持ち上げれば簡単にかつ安全に熱源ユニット１を持ち上げることができ、そのまま熱源ユニット１の据付位置に持ち運ぶことができるものである。
【００１５】
このように、底板２底面の左右端近傍に前記左右側板７・８と略平行に手掛け用の凹部１４を設けたので、底板２底面への手の位置が安定し、据付作業をより安全に行う事ができ据付作業を効率化ができるものである。
また、凹部１４に対向する前記下側梱包材１５に作業者が左右側方から手を挿入する空間１９・２０を設けたことで、底面の梱包材を外さずに直接底板２の凹部１４に手を掛けて器具を持ち上げることができ、より据付作業を効率よく行うことができるものである。
【符号の説明】
【００１６】
１    熱源ユニット
２    底板
３    天板
５    前板
７    左側板
８    右側板
１４    手掛け用の凹部
１５    下梱包材
１９・２０    空間
２１    上梱包材
２５    結束バンド
【図１】
2011158163.tif 000003
【図２】
2011158163.tif 000004
【図３】
2011158163.tif 000005
【図４】
2011158163.tif 000006